(57)【要約】      （修正有）【課題】透明な素材で形成された容器本体内に収納された塗布具の汚れが外部からクリアに視認されず、また、容器内部における化粧料の付着を抑えることができるコンパクト容器を提供する。【解決手段】化粧料及び塗布具を収納可能な有底皿状に形成された本体と、該本体の開口部を封止可能な蓋部を備えたコンパクト容器であって、該本体の少なくとも周壁１２は透明性を有する材質で形成されるとともに、該周壁１２にはカット面１４が形成されている。【選択図】図１
0003214566.tif 000002
【実用新案登録請求の範囲】
【請求項１】
化粧料及び塗布具を収納可能な有底皿状に形成された本体と、該本体の開口部を封止可能な蓋部を備えたコンパクト容器であって、該本体の少なくとも周壁部は透明性を有する材質で形成されるとともに、該周壁部にはカット面が形成されているコンパクト容器。
【請求項２】
前記カット面は、前記本体の周壁部の内周面に形成されていることを特徴とする請求項１に記載の前記コンパクト容器。
【請求項３】
前記カット面は、連続する複数の多角形の面から構成されることを特徴とする請求項１または２のいずれかに記載のコンパクト容器。
【請求項４】
平面視で円形に形成されていることを特徴とする請求項１ないし３のいずれか１項に記載の前記コンパクト容器。
【請求項５】
前記周壁部の内周面と内部に収納された塗布具との間には隙間が形成されていることを特徴とする請求項１ないし４のいずれか１項に記載の前記コンパクト容器。
【請求項６】
周壁部の外周面にさらに前記カット面が形成されていることを特徴とする請求項２ないし５のいずれか１項に記載の前記コンパクト容器。
【考案の詳細な説明】
【技術分野】
【０００１】
本考案は、化粧料及び塗布具を収納可能であり、容器本体の少なくとも周壁部が透明性を有する素材で形成されているコンパクト容器に関する。
【背景技術】
【０００２】
従来、化粧料用のコンパクト容器などにおいて、透明性有する素材で容器を形成し、その外表面に凹凸状の模様を形成して、容器そのものの意匠性を高めることが行われている。
【０００３】
例えば、特許文献１には、透明部を備えた容器の外面側に、切削や研削、彫刻等による加工方法を用いて彫り込まれた凹状の立体的模様が形成された化粧料容器が開示されている。
【０００４】
かかる容器は、内容物が化粧料のみの場合は特段の問題が生じることはないが、コンパクト容器のように化粧料とともに塗布具が収納されるタイプの場合、以下のような問題があった。
【０００５】
すなわち、パフ等に代表される化粧料塗布具は、使用していくうちに塗布面以外の部分にも化粧料が付着し、塗布具が化粧料と異なる色の場合、付着した化粧料により汚れて見える場合がある。
【０００６】
かかる塗布具を、透明性を有する素材の容器に収納する場合、塗布具の汚れた部分も容器外から視認可能となるため、かえって容器の意匠性を損なうおそれがあった。
【０００７】
さらに、塗布具に付着している化粧料は、塗布具が容器の内部に接触することにより容器へと付着し、そのような付着した化粧料も外部から視認可能となるため、容器の意匠性を損なうおそれがあった。  
【先行技術文献】
【特許文献】
【０００８】
【特許文献１】特開２０１２−３８１
【考案の概要】
【考案が解決しようとする課題】
【０００９】
そこで本考案は、従来のコンパクト容器のかかる欠点を克服し、透明性を有する素材で形成された容器本体内に収納された塗布具の汚れが外部からクリアに視認されず、また、容器内部における化粧料の付着を抑えることができるコンパクト容器の提供をその課題とするものである。
【課題を解決するための手段】
【００１０】
本考案は、上記課題を解決するものであり、化粧料及び塗布具を収納可能な有底皿状に形成された本体と、該本体の開口部を封止可能な蓋部を備えたコンパクト容器であって、該本体の少なくとも周壁部は透明性を有する材質で形成されるとともに、該周壁部にはカット面が形成されているコンパクト容器である。
【考案の効果】
【００１１】
本考案にかかるコンパクト容器は、周壁にカット面が形成されているため、光の屈折反射により内部の塗布具がクリアに視認されず、塗布具の汚れも目立たなくなる。
【００１２】
また、本考案にかかるコンパクト容器で周壁の内周面にカット面を形成したものは、塗布具とカット面が直に接する面積が少なくなるため、塗布具が周壁に接することによる化粧料の付着することを抑えることもできる。
【図面の簡単な説明】
【００１３】
【図１】（ａ）蓋部の記載を省略した本考案のコンパクト容器の平面図、（ｂ）同斜視図、（ｃ）同断面図
【図２】（ａ）本考案のコンパクト容器の平面図、（ｂ）同正面図
【図３】（ａ）中皿と塗布具を収納した状態で蓋部の記載を省略した本考案のコンパクト容器の断面図
【図４】（ａ）蓋部の記載を省略した本考案のコンパクト容器の平面図、（ｂ）同斜視図、（ｃ）同断面図
【図５】（ａ）蓋部の記載を省略した本考案のコンパクト容器の平面図、（ｂ）同斜視図、（ｃ）同断面図
【考案を実施するための形態】
【００１４】
以下、本考案のコンパクト容器の実施態様を、図面に基づいて具体的に説明する。なお、本考案はこれらの実施態様に何ら制約されるものではない。
【００１５】
図に示すように、本考案のコンパクト容器は、有底皿状の本体１と、該本体１の開口部を封止する蓋部２からなり、その内部には、化粧料を充填した中皿３と塗布具４が収納される。本実施態様における蓋部２は、ヒンジ部（図示せず）により開閉自在に本体１へ取り付けられ、蓋係止部１５により閉状態で固定されるが、蓋部２の態様はこれに限定されず、例えば、本体１の開口外周縁にネジ部を設け、蓋部２の内周面に前記ネジ部に螺合可能なネジ部を設け、これらのネジ部により螺着可能としても良い。
【００１６】
本体１は、円形に形成された底部１１と、底部１１の周縁より立設された周壁１２とを備え、内部には、中皿３を収納可能な収納部１３が中皿３の高さと略同一の深さで形成されている。さらに、収納部１３の上部には、周壁１２の内周面にカット面１４が形成されている。
【００１７】
本実施態様のコンパクト容器は平面視で円形に形成されているが、形状はこれに限定されず、楕円形や、直線状の周壁を備えた正方形もしくは長方形、もしくは、その他の多角形としても良い。
【００１８】
本実施態様における周壁１２の外周面は、底部１１より途中まで拡径しながら立ち上がっている傾斜面１２ａと、該傾斜面１２ａの上端より垂直に立ち上がる垂直面１２ｂからなるように形成されている。なお、周壁１２の外周面はこの形状に限らず、下端から上端まで一定の傾斜角度で立ち上がる傾斜面のみ、もしくは、下端から上端まで垂直方向に立ち上がる垂直面のみで形成しても良い。
【００１９】
本体１は、内容物が外部から視認可能な程度の透明性を有する素材により形成されている。透明性を有する素材としては、ポリエチレンテレフタレートやポリシクロヘキシレンジメチレンテレフタレート等のエステル系樹脂、アクリロニトリル・スチレン共重合体やポリスチレン等のスチレン系樹脂、ポリメタクリル酸メチル等のアクリル系樹脂、ポリカーボネート、ポリ塩化ビニル等の樹脂やガラス等が挙げられる。なお、本実施態様では本体１全体を透明な素材で形成しているが、例えば、周壁１２部分のみ透明性を有する素材で形成してよく、さらに、周壁１２のうち、収納部１３よりも高い位置に相当する垂直面１２ｂ部分のみ、透明性を有する素材で形成してもよい。
【００２０】
周壁１２の内周面は、収納部１３部分は垂直面に形成され、収納部１３から上は拡径する方向に傾斜するように形成されており、かかる傾斜面にカット面１４が形成されている。なお、本実施態様では、収納部１３の上部の内周面は傾斜面であるが、これを収納部１３と同様の垂直面で形成しても良い。
【００２１】
収納部１３より上の傾斜面には、周方向に連続するカット面１４が形成されている。本実施態様のカット面１４は、連続する複数の多角形の面から構成され、周方向に沿って蛇行して連続する菱形面１４ａと、隣接する菱形面１４ａの間に形成された三角形面１４ｂにより構成されている。
【００２２】
カット面１４を構成するひとつひとつの菱形面１４ａ、三角形面１４ｂは、平面状もしくは略平面状に形成されており、菱形面１４ａ、三角形面１４ｂの境界線１４１において、隣接する面同士が所定の角度で接して凹みを形成している。
【００２３】
本実施態様のカット面１４は、上述の通り、菱形と三角形から構成されているが、カット面１４を構成する個々の形状や組み合わせはこの例に限らず、例えば、正方形や長方形、その他の多角形、あるいは円形、楕円形、もしくはそれらの組み合わせで構成しても良い。図４、５は、異なる実施態様のカット面１４の例示である。
【００２４】
図４に示したものは、カット面１４を構成する菱形面１４ｃがさらにその対角線１４２により四分割されており、対角線１４２の交点１４３を頂点として突出するように形成されている。このように、カット面１４は、凹みだけではなく、凹凸の組み合わせで構成してもよい。
【００２５】
図３は、本考案のコンパクト容器に化粧料を充填した中皿３と塗布具４とを収納した状態の断面図である（蓋部２の記載は省略する）。中皿３は、一般的に粉体固型化粧料を充填可能な金皿を利用することができるが、このタイプに限定されず直接化粧料を充填するタイプでも良い。また、塗布具４は、ゴム弾性を持つスポンジ製のスポンジパフやそれに植毛したパフや、パイル地など起毛布帛片を縫製した起毛パフや、パフに把持部を設けたものを利用することができ、またブラシを利用することができる。
【００２６】
図３に示すように、収納時には、塗布具４は中皿３の上部に載置された状態となっている。すなわち、塗布具４は収納部１３より上部に位置することになるが、かかる部分の周壁１２の内周面にはカット面１４が形成されているため、容器外のいかなる方向から見た場合であっても、内部の塗布具４はカット面１４を透過した像となる。
【００２７】
内周面にカット面１４がない場合、内部からの光を周壁１２が直線的に透過するため、周壁１２の外周面は塗布具４をそのまま写しだすが、カット面１４が形成されている場合、ひとつひとつのカット面１４が異なる角度の屈折反射を起こす。これにより、周壁１２の外周面で結像する塗布具４の像は、実際の塗布具４を正確に反映するものではなくなり、はっきりとした像として視認されない。この結果、塗布具４に付着している汚れなどもクリアには視認されなくなり、目立たなくなる。さらに本実施態様のように容器が平面視で円形に形成されている場合は塗布具４が拡大されてみえる場合があるが、カット面１４が形成されている場合は、所定の入射角では光が全反射してみえなくなる部分もあるため、より視認性が低下する。
【００２８】
特に、本考案のように、周壁１２の内周面にカット面１４を形成している場合、かかる屈折反射が周壁１２の内周面で発生し、所定の厚みを有する周壁１２内を透過して外周面において一定の像を結ぶ際に屈折によるズレが大きくなるため、外部からはより視認が難しくなる。
【００２９】
また、本実施態様のように、周壁１２の内周面と収納された塗布具４との間に隙間が形成されている場合、内周面と塗布具４との間に一定の隙間があることにより、隙間がない場合に比較して屈折によるズレが大きくなるため、外部からはより視認が難しくなる。
【００３０】
さらに、周壁１２の内周面にカット面１４を形成していることにより、カット面１４による凹凸が塗布具４と周壁１２の接触面積を減らすことになるため、塗布具４が周壁１２の内周面に接することに起因する化粧料の付着することを抑えることができる。
【００３１】
以上説明した実施態様ではカット面１４は周壁１２の内周面にのみ形成されているが、これを、周壁１２の外周面にも形成しても良い。その場合、内周面と外周面のカット面１４による光の屈折反射によって、さらに内部の視認が難しくなる。尚、本考案のコンパクト容器の構造は、塗布具収納部と化粧料収納部とが上下２段に構成された構造に限られるものではなく、１段で左右や前後に構成された構造やその他如何なる構造であっても良い。
【００３２】
本考案のコンパクト容器の内容物の化粧料は特に限定されないが、ファンデーション、下地クリーム、コンシーラー、頬紅、アイカラー、リップグロス、リップカラー、リップオーバーコート、トップコート、マスカラ、アイブロウ、アイライナーなどのメイクアップ化粧料、染毛料等の頭髪化粧料等が挙げられ、また、剤形としては、粉末固型状化粧料、油性固型状化粧料、粉末状化粧料等が挙げられる。    
【符号の説明】
【００３３】
１  …  …  本体
２  …  …  蓋部
３  …  …  中皿
４  …  …  塗布具
１１  …  …  底部
１２  …  …  周壁
１２ａ  …  …  傾斜面
１２ｂ  …  …  垂直面
１３  …  …  収納部
１４  …  …  カット面
１４ａ  …  …  菱形面
１４ｂ  …  …  三角形面
１４ｃ  …  …  菱形面
１５  …  …  蓋係止部
１４１  …  …  境界線    
１４２  …  …  対角線
１４３  …  …  交点
【図１】
0003214566.tif 000003
【図２】
0003214566.tif 000004
【図３】
0003214566.tif 000005
【図４】
0003214566.tif 000006
【図５】
0003214566.tif 000007